【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
遠心混合デバイスであって、
モータにより第１の軸を中心としてシャフト組立体を回転させるようにするためにモータに動作可能に結合されるように構成される、第１の軸に沿って細長であるシャフト組立体と、
前記シャフト組立体に回転可能に結合され、その結果、前記シャフト組立体を基準として前記第１の軸を中心として回転するように構成されるタレットであって、前記タレットが、第１の支持体と、第２の軸を中心として回転するように前記シャフト組立体の第１の側において前記第１の支持体に回転可能に結合される第１のキャニスタと、第３の軸を中心として回転するように前記シャフト組立体の第２の側において前記第１の支持体に回転可能に結合される第２のキャニスタとを有する、タレットと、
を備え、
前記タレットが、前記第１の軸を中心として第１の回転方向に回転するように構成され、前記第１および第２のキャニスタの各々が、それぞれ前記第２および第３の軸を中心として、前記第１の回転方向の反対の第２の回転方向に回転するように構成される、
遠心混合デバイス。
【請求項２】
前記第１のキャニスタが第１のキャニスタプーリを含み、前記第２のキャニスタが第２のキャニスタプーリを含み、前記シャフト組立体が、前記第１の軸に沿って細長であるシャフトボディと、前記第１のキャニスタプーリと前記第２のキャニスタプーリとの間で前記シャフトボディに対して固定される第１のシャフトプーリとを有し、
前記混合デバイスが、前記第１のシャフトプーリと、前記第１および第２のキャニスタプーリとに接続される第１の駆動ベルトをさらに備え、その結果、前記モータにより前記第１のシャフトプーリが前記第１の軸を中心として回転するときに、前記第１の駆動ベルトが前記第１および第２のキャニスタプーリを駆動して前記第１および第２のキャニスタをそれぞれ前記第２および第３の軸を中心として回転させるようになる、
請求項１に記載の遠心混合デバイス。
【請求項３】
前記タレットが前記第１の軸に沿うって前記第１の支持体から離間される第２の支持体をさらに含み、前記第１および第２のキャニスタが前記第１の支持体および前記第２の支持体の両方に回転可能に結合される、請求項２に記載の遠心混合デバイス。
【請求項４】
遠心混合デバイスであって、
シャフト組立体であって、
モータが第１の軸を中心として前記シャフト組立体を回転させるようにするために前記モータに動作可能に結合されるように構成される、第１の軸に沿って細長であるシャフトボディ、および
前記シャフトボディに対して強固に固定される第１のシャフトプーリ
を有するシャフト組立体と、
前記シャフトボディに回転可能に結合されるタレットであって、
第１のキャニスタプーリを有しかつ第２の軸を中心として回転可能である第１のキャニスタ、および、
第２のキャニスタプーリを有しかつ第３の軸を中心として回転可能である第２のキャニスタ
を有する、タレットと
前記第１のシャフトプーリと、前記第１のキャニスタプーリと、前記第２のキャニスタプーリとに接続される第１の駆動ベルトであって、その結果、前記モータにより前記シャフト組立体が回転することにより、前記第１および第２のキャニスタがそれぞれ前記第２の軸および第３の軸を中心として回転するようになる、第１の駆動ベルトと
を備え、
前記第１のシャフトプーリ、前記第１のキャニスタプーリおよび前記第２のキャニスタプーリの各々が、前記モータにより前記第１の軸を中心として前記シャフト組立体を回転させるときに前記第１および第２のキャニスタ内で保持される材料に対して少なくとも６００ｇの加速度を加えるように、サイズ決定される、
遠心混合デバイス。
【請求項５】
前記モータによる前記シャフト組立体の回転により、（ｉ）前記タレットが前記第１の軸を中心として第１の回転方向に回転し、（ｉｉ）前記第１および第２のキャニスタの各々が、それぞれ前記第２の軸および第３の軸を中心として、前記第１の回転方向の反対の第２の回転方向に回転する、請求項４に記載の遠心混合デバイス。
【請求項６】
前記第１のシャフトプーリが前記第１のキャニスタプーリと前記第２のキャニスタプーリとの間で前記シャフトボディに対して固定される、請求項４に記載の遠心混合デバイス。
【請求項７】
前記タレットが第１の支持体および第２の支持体をさらに含み、前記第１のキャニスタが前記シャフト組立体の第１の側において前記第１および第２の支持体に回転可能に結合され、前記第２のキャニスタが前記シャフト組立体の第２の側において前記第１および第２の支持体に回転可能に結合される、請求項４に記載の遠心混合デバイス。
【請求項８】
（ｉ）前記第１のキャニスタが前記第１の支持体に回転可能に結合される第１のキャニスタシャフトを含み、（ｉｉ）前記第２のキャニスタが前記第１の支持体に回転可能に結合される第２のキャニスタシャフトを含み、（ｉｉｉ）前記第１のキャニスタプーリが前記第１のキャニスタシャフトに対して強固に固定され、前記第２のキャニスタプーリが前記第２のキャニスタシャフトに対して強固に固定される、請求項３又は７に記載の遠心混合デバイス。
【請求項９】
（ｉ）前記第１のキャニスタが第１の着脱自在の容器を含み、（ｉｉ）前記第２のキャニスタが第２の着脱自在の容器を含み、（ｉｉｉ）前記第１および第２の容器の各々が少なくとも２つの材料を保持するように構成される、請求項３に従属する請求項８に記載の遠心混合デバイス。
【請求項１０】
前記タレットが第１のテンションプーリおよび第２のテンションプーリをさらに含み、
前記第１のテンションプーリが前記第１のシャフトプーリと前記第１のキャニスタプーリとの間で前記第１の支持体によって支持され、
前記第２のテンションプーリが前記第１のシャフトプーリと前記第２のキャニスタプーリとの間で前記第１の支持体によって支持され、
前記第１および第２のテンションプーリが前記第１の駆動ベルトを張力のかかった状態で維持するように構成される、
請求項３に従属する請求項８に記載の遠心混合デバイス。
【請求項１１】
前記モータをさらに備える、請求項１又は４に記載の遠心混合デバイス。
【請求項１２】
各キャニスタが少なくとも３つの実質的に球状の部材を備える、請求項１、又は請求項７に従属する請求項８に記載の遠心混合デバイス。
【請求項１３】
前記少なくとも３つの部材がセラミックで作られる、請求項１２に記載の遠心混合デバイス。
【請求項１４】
前記シャフト組立体が前記シャフトボディに対して強固に固定される第２のシャフトプーリをさらに含み、前記タレットが前記第２のシャフトプーリに接続されるタレットプーリをさらに含み、その結果、前記シャフト組立体の回転により前記タレットが前記第１の軸を中心として回転するようになる、請求項７に記載の遠心混合デバイス。
【請求項１５】
前記シャフト組立体の回転運動を前記タレットに伝達するように構成されるトランジション部材をさらに備える、請求項１４に記載の遠心混合デバイス。
【請求項１６】
前記シャフト組立体が前記シャフトボディに対して固定される第２のシャフトプーリを含み、前記デバイスが、前記シャフト組立体の回転運動を前記タレットに伝達するように構成されるトランジション部材をさらに備える、請求項２に記載の遠心混合デバイス。
【請求項１７】
前記トランジション部材が第１のトランジションプーリおよび第２のトランジションプーリを含み、
前記デバイスが、前記第２のシャフトプーリと、前記第１のトランジションプーリとに接続される第２の駆動ベルトをさらに備え、その結果、前記モータが前記第２のシャフトプーリを前記第１の軸を中心として回転させるときに、前記第２の駆動ベルトが前記トランジション部材を駆動し、それにより前記第１および第２のトランジションプーリが第４の軸を中心として回転するようになる、
請求項１５又は１６に記載の遠心混合デバイス。
【請求項１８】
前記タレットが、前記第１の軸を中心として回転可能となるように前記シャフト組立体に結合されるタレットプーリを含む、請求項１６に従属する請求項１７に記載の遠心混合デバイス。
【請求項１９】
前記第２のトランジションプーリと、前記タレットプーリとに接続される第３の駆動ベルトをさらに備え、その結果、前記モータが前記第１および第２のトランジションプーリを前記第４の軸を中心として回転させるときに、前記第３の駆動ベルトが前記タレットプーリを駆動し、それにより、前記タレットが前記第１の軸を中心として回転するようになる、請求項１８、又は請求項１５に従属する請求項１７に記載の遠心混合デバイス。
【請求項２０】
前記タレットプーリ、前記第１および第２のトランジションプーリ、前記第１および第２のシャフトプーリ、ならびに、前記第１および第２のキャニスタプーリの各々が、前記モータが前記シャフト組立体を回転させるときに前記第１および第２のキャニスタ内で保持される材料に少なくとも６００ｇ又は約６９１ｇの加速度を加えるように、個別の直径を有する、請求項１９に記載の遠心混合デバイス。
【請求項２１】
前記シャフト組立体の回転により、（ｉ）前記タレットが前記第１の軸を中心として第１の回転速度で回転し、（ｉｉ）前記第１および第２のキャニスタの各々がそれぞれ前記第２および第３の軸を中心として第２の回転速度で回転する、請求項１に記載の遠心混合デバイス。
【請求項２２】
前記キャニスタの一方または両方が少なくとも２つの異なる粒子状物質を含む、請求項１に記載の遠心混合デバイス。
【請求項２３】
前記キャニスタの一方または両方が、２つ以上の活性薬剤成分を個々に含むパーティクルを有する粒子状物質を含む、請求項１に記載の遠心混合デバイス。
【請求項２４】
シャフト組立体および前記シャフト組立体に結合されるタレットを有する遠心混合デバイスを提供するステップであって、前記タレットが、前記シャフト組立体によって画定される第１の軸を中心として回転可能である支持体と、第２の軸を中心として第１のキャニスタが回転するように前記支持体に回転可能に結合される第１のキャニスタとを有する、ステップと、
少なくとも３つの実質的に球状の部材と、第１の粒子状物質と、少なくとも第２の粒子状物質とを前記第１のキャニスタ内に配置するステップと、
前記タレットを前記第１の軸を中心として第１の方向に第１の回転速度で回転させるステップと、
前記第１のキャニスタを前記第２の軸を中心として前記第１の方向と反対の第２の方向に第２の回転速度で回転させるステップと、
前記タレットが前記第１の回転速度で回転しかつ前記第１のキャニスタが前記第２の回転速度で回転するときに内側の表面に対して実質的に一定の力を加えるようにするために各部材を前記第１のキャニスタ内の内側表面に接触させるステップと、
前記第１および第２の粒子のうちの少なくとも一方の粒子を他の粒子によって含浸されるようにするために前記第１および第２の粒子を前記部材と内側表面との間で移動させるステップと
を含む方法。
【請求項２５】
前記タレットおよび前記第１のキャニスタの前記回転がその中身に少なくとも６００ｇ又は約６９１ｇの加速度を加える、請求項２４に記載の方法。
【請求項２６】
前記第１の回転ステップが、前記タレットを前記第１の軸を中心として約１００ｒｐｍから約１７５０ｒｐｍの間の第１の回転速度で回転させるステップを含み、前記第２の回転ステップが、前記第１のキャニスタを前記第２の軸を中心として約１４０ｒｐｍから約２５５０ｒｐｍの間の第２の回転速度で回転させるステップを含む、請求項２４に記載の方法。
【請求項２７】
前記第１の回転ステップが、前記タレットを前記第１の軸を中心として約１７５０ｒｐｍの第１の回転速度で回転させるステップを含み、前記第２の回転ステップが、前記第１のキャニスタを前記第２の軸を中心として約２５００ｒｐｍの第２の回転速度で回転させるステップを含む、請求項２４に記載の方法。
【請求項２８】
前記タレットが前記支持体に回転可能に結合される第２のキャニスタをさらに含み、その結果、前記第２のキャニスタが第３の軸を中心として回転し、前記方法が、
少なくとも３つの実質的に球状の部材と、第１の粒子状物質と、少なくとも第２の粒子状物質とを前記第２のキャニスタ内に配置するステップと、
前記第２のキャニスタを前記第３の軸を中心として前記第２の方向に第３の回転速度で回転させるステップと、
前記タレットが前記第１の回転速度で回転しかつ前記第２のキャニスタが前記第３の回転速度で回転するときに前記内側の表面に対して実質的に一定の力を加えるようにするために各部材を前記第２のキャニスタ内の内側表面に接触させるステップと、
前記第２のキャニスタによって保持される前記第１および第２の粒子のうちの少なくとも一方の粒子を他の粒子によって含浸されるようにするために前記第１および第２の粒子を前記部材と内側表面との間で移動させるステップと
をさらに含む、
請求項２４に記載の方法。
【請求項２９】
前記第１および第２のキャニスタをそれぞれ前記第２および第３の軸を中心として回転させるために第１の駆動ベルトを用いて前記第１および第２のキャニスタを駆動するステップをさらに含む、請求項２８に記載の方法。
【請求項３０】
前記接触させるステップが、前記内側表面の底部から前記内側表面の頂部まで延在する部材のカラムを形成するように各部材を前記内側の表面に接触させるステップを含む、請求項２４に記載の方法。
【請求項３１】
前記粒子状物質のうちの少なくとも１つの粒子状物質が活性薬剤成分を含む、請求項２２に記載の遠心混合デバイス。
【請求項３２】
前記粒子状物質のうちの少なくとも１つには、メチル（２Ｒ）−２−アミノ−３−（２−クロロ−４−ヒドロキシフェニル）プロパノエート、Ｄ−チロシンエチルエステル塩酸塩、メチル（２Ｒ）−２−アミノ−３−（２，６−ジクロロ−３，４−ジメトキシフェニル）プロパノエート、Ｈ−Ｄ−Ｔｙｒ（ＴＢＵ）−アリルエステルＨＣｌ、メチル（２Ｒ）−２−アミノ−３−（３−クロロ−４，５−ジメトキシフェニル）プロパノエート、メチル（２Ｒ）−２−アミノ−３−（２−クロロ−３−ヒドロキシ−４−メトキシフェニル）プロパノエート、メチル（２Ｒ）−２−アミノ−３−（４−［（２−クロロ−６−フルオロフェニル）メトキシ］フェニル）プロパノエート、メチル（２Ｒ）−２−アミノ−３−（２−クロロ−３，４−ジメトキシフェニル）プロパノエート、メチル（２Ｒ）−２−アミノ−３−（３−クロロ−５−フルオロ−４−ヒドロキシフェニル）プロパノエート、ジエチル２−（アセチルアミノ）−２−（４−［（２−クロロ−６−フルオロベンジル）オキシ］マロン酸ベンジル、メチル（２Ｒ）−２−アミノ−３−（３−クロロ−４−メトキシフェニル）プロパノエート、メチル（２Ｒ）−２−アミノ−３−（３−クロロ−４−ヒドロキシ−５−メトキシフェニル）プロパノエート、メチル（２Ｒ）−２−アミノ−３−（２，６−ジクロロ−３−ヒドロキシ−４−メトキシフェニル）プロパノエート、メチル（２Ｒ）−２−アミノ−３−（３−クロロ−４−ヒドロキシフェニル）プロパノエート、Ｈ−ＤＬ−ｔｙｒ−ＯＭＥ  ＨＣｌ、Ｈ−３，５−ジヨード−ｔｙｒ−ＯＭＥ  ＨＣｌ、Ｈ−Ｄ−３，５−ジヨード−ｔｙｒ−ＯＭＥ  ＨＣｌ、Ｈ−Ｄ−ｔｙｒ−ＯＭＥ  ＨＣｌ、Ｄ−チロシンメチルエステル塩酸塩、Ｄ−チロシン−ｏｍｅ  ＨＣｌ、メチルＤ−チロシネート塩酸塩、Ｈ−Ｄ−ｔｙｒ−ＯＭｅ・ＨＣｌ、Ｄ−チロシンメチルエステルＨＣｌ、Ｈ−Ｄ−Ｔｙｒ−ＯＭｅ−ＨＣｌ、（２Ｒ）−２−アミノ−３−（４−ヒドロキシフェニル）プロピオン酸、（２Ｒ）−２−アミノ−３−（４−ヒドロキシフェニル）メチルエステル塩酸塩、メチル（２Ｒ）−２−アミノ−３−（４−ヒドロキシフェニル）プロパノエート塩酸塩、メチル（２Ｒ）−２−アザニル−３−（４−ヒドロキシフェニル）プロパノエート塩酸塩、３−クロロ−Ｌ−チロシン、３−ニトロ−Ｌ−チロシン、３−ニトロ−Ｌ−チロシンエチルエステル塩酸塩、ＤＬ−ｍ−チロシン、ＤＬ−ｏ−チロシン、Ｂｏｃ−Ｔｙｒ（３，５−Ｉ２）−ＯＳｕ、Ｆｍｏｃ−ｔｙｒ（３−ＮＯ２）−ＯＨ、α−メチル−Ｌ−チロシン、α−メチル−Ｄ−チロシン、または、α−メチル−ＤＬ−チロシンが含まれる、請求項３１に記載の遠心混合デバイス。
【請求項３３】
前記粒子状物質のうちの少なくとも１つの粒子状物質が、メラニン、メラニンプロモーター、または、それらの組み合わせを含む、請求項３２に記載の遠心混合デバイス。
【請求項３４】
前記粒子状物質のうちの少なくとも１つの粒子状物質がメラニンを含む、請求項３３に記載の遠心混合デバイス。
【請求項３５】
前記メラニンプロモーターが、メトキサレン、メラノタンＩＩ、または、それらの組み合わせである、請求項３４に記載の遠心混合デバイス。
【請求項３６】
前記粒子状物質のうちの少なくとも１つには、α−メチル−ＤＬ−チロシンが含まれ、前記粒子状物質のうちの少なくとも１つには、タモキシフェン、トレミフェン、フルベストラント、アナストロゾール、エキセメスタン、レトロゾール、メシル酸イマチニブ、ダサチニブ、ニロチニブ、ボスチニブ、ラパチニブ、ゲフィチニブ、エルロチニブ、テムシロリムス、エベロリムス、バンデタニブ、ベムラフェニブ、クリゾチニブ、ボリノスタット、ロミデプシン、ベキサロテン、アリトレチノイン、トレチノイン、ボルテゾミブ、カーフィルゾミブ、プララトレキサート、ソラフェニブ、スニチニブ、パゾパニブ、レゴラフェニブ、カボザンチニブ、デニロイキン・ディフティトックス、ジブ−アフリベルセプト、シスプラチン、シスプラチナム、（シス−ジアミンジクロロ白金（ＩＩ））、カルボプラチン、オキサリプラチン、ベンジルイソチオシアナート、アセチルコリン、または、ジヒドロテストステロン（ＤＨＴ）が含まれる、請求項３１に記載の遠心混合デバイス。
【請求項３７】
プロセスによって調製される組成であって、前記プロセスが、
シャフト組立体および前記シャフト組立体に結合されるタレットを有する遠心混合デバイスを提供するステップであって、前記タレットが、前記シャフト組立体によって画定される第１の軸を中心として回転可能である支持体と、第２の軸を中心として第１のキャニスタを回転させるように前記支持体に回転可能に結合される第１のキャニスタとを有する、ステップと、
少なくとも３つの実質的に球状の部材と、第１の粒子状物質と、少なくとも第２の粒子状物質とを前記第１のキャニスタ内に配置するステップと、
前記タレットを前記第１の軸を中心として第１の方向に第１の回転速度で回転させるステップと、
前記第１のキャニスタを前記第２の軸を中心として前記第１の方向と反対の第２の方向に第２の回転速度で回転させるステップと、
前記タレットが前記第１の回転速度で回転しかつ前記第１のキャニスタが前記第２の回転速度で回転するときに前記内側の表面に対して実質的に一定の力を加えるようにするために各部材を前記第１のキャニスタ内の内側表面に接触させるステップと、
前記第１および第２の粒子のうちの少なくとも一方の粒子を他の粒子によって含浸されるようにするために前記第１および第２の粒子を前記部材と内側表面との間で移動させるステップと
を含む、組成。
【手続補正２】
【補正対象書類名】明細書
【補正対象項目名】０００９
【補正方法】変更
【補正の内容】
【０００９】
本発明の実施形態は、例えば以下の通りである。
［実施形態１］
遠心混合デバイスであって、
モータにより第１の軸を中心としてシャフト組立体を回転させるようにするためにモータに動作可能に結合されるように構成される、第１の軸に沿って細長であるシャフト組立体と、
前記シャフト組立体に回転可能に結合され、その結果、前記シャフト組立体を基準として前記第１の軸を中心として回転するように構成されるタレットであって、前記タレットが、第１の支持体と、第２の軸を中心として回転するように前記シャフト組立体の第１の側において前記第１の支持体に回転可能に結合される第１のキャニスタと、第３の軸を中心として回転するように前記シャフト組立体の第２の側において前記第１の支持体に回転可能に結合される第２のキャニスタとを有する、タレットと、
を備え、
前記タレットが、前記第１の軸を中心として第１の回転方向に回転するように構成され、前記第１および第２のキャニスタの各々が、それぞれ前記第２および第３の軸を中心として、前記第１の回転方向の反対の第２の回転方向に回転するように構成される、
遠心混合デバイス。
［実施形態２］
前記第１のキャニスタが第１のキャニスタプーリを含み、前記第２のキャニスタが第２のキャニスタプーリを含み、前記シャフト組立体が、前記第１の軸に沿って細長であるシャフトボディと、前記第１のキャニスタプーリと前記第２のキャニスタプーリとの間で前記シャフトボディに対して固定される第１のシャフトプーリとを有し、
前記混合デバイスが、前記第１のシャフトプーリと、前記第１および第２のキャニスタプーリとに接続される第１の駆動ベルトをさらに備え、その結果、前記モータにより前記第１のシャフトプーリが前記第１の軸を中心として回転するときに、前記第１の駆動ベルトが前記第１および第２のキャニスタプーリを駆動して前記第１および第２のキャニスタをそれぞれ前記第２および第３の軸を中心として回転させるようになる、
実施形態１に記載の遠心混合デバイス。
［実施形態３］
前記タレットが前記第１の軸に沿うって前記第１の支持体から離間される第２の支持体をさらに含み、前記第１および第２のキャニスタが前記第１の支持体および前記第２の支持体の両方に回転可能に結合される、実施形態２に記載の遠心混合デバイス。
［実施形態４］
（ｉ）前記第１のキャニスタが前記第１の支持体に回転可能に結合される第１のキャニスタシャフトを含み、（ｉｉ）前記第２のキャニスタが前記第１の支持体に回転可能に結合される第２のキャニスタシャフトを含み、（ｉｉｉ）前記第１のキャニスタプーリが前記第１のキャニスタシャフトに対して強固に固定され、前記第２のキャニスタプーリが前記第２のキャニスタシャフトに対して強固に固定される、実施形態３に記載の遠心混合デバイス。
［実施形態５］
（ｉ）前記第１のキャニスタが第１の着脱自在の容器を含み、（ｉｉ）前記第２のキャニスタが第２の着脱自在の容器を含み、（ｉｉｉ）前記第１および第２の容器の各々が少なくとも２つの材料を保持するように構成される、実施形態４に記載の遠心混合デバイス。
［実施形態６］
前記タレットが第１のテンションプーリおよび第２のテンションプーリをさらに含み、
前記第１のテンションプーリが前記第１のシャフトプーリと前記第１のキャニスタプーリとの間で前記第１の支持体によって支持され、
前記第２のテンションプーリが前記第１のシャフトプーリと前記第２のキャニスタプーリとの間で前記第１の支持体によって支持され、
前記第１および第２のテンションプーリが前記第１の駆動ベルトを張力のかかった状態で維持するように構成される、
実施形態４に記載の遠心混合デバイス。
［実施形態７］
前記シャフト組立体が前記シャフトボディに対して固定される第２のシャフトプーリを含み、前記デバイスが、前記シャフト組立体の回転運動を前記タレットに伝達するように構成されるトランジション部材をさらに備える、実施形態２に記載の遠心混合デバイス。
［実施形態８］
前記トランジション部材が第１のトランジションプーリおよび第２のトランジションプーリを含み、
前記デバイスが、前記第２のシャフトプーリと、前記第１のトランジションプーリとに接続される第２の駆動ベルトをさらに備え、その結果、前記モータが前記第２のシャフトプーリを前記第１の軸を中心として回転させるときに、前記第２の駆動ベルトが前記トランジション部材を駆動し、それにより前記第１および第２のトランジションプーリが第４の軸を中心として回転するようになる、
実施形態７に記載の遠心混合デバイス。
［実施形態９］
前記タレットが、前記第１の軸を中心として回転可能となるように前記シャフト組立体に結合されるタレットプーリを含む、実施形態８に記載の遠心混合デバイス。
［実施形態１０］
前記第２のトランジションプーリと、前記タレットプーリとに接続される第３の駆動ベルトをさらに備え、その結果、前記モータが前記第１および第２のトランジションプーリを前記第４の軸を中心として回転させるときに、前記第３の駆動ベルトが前記タレットプーリを駆動し、それにより、前記タレットが前記第１の軸を中心として回転するようになる、実施形態９に記載の遠心混合デバイス。
［実施形態１１］
前記タレットプーリ、前記第１および第２のトランジションプーリ、前記第１および第２のシャフトプーリ、ならびに、前記第１および第２のキャニスタプーリの各々が、前記モータが前記シャフト組立体を回転させるときに前記第１および第２のキャニスタ内で保持される材料に少なくとも６００ｇの加速度を加えるように、個別の直径を有する、実施形態１０に記載の遠心混合デバイス。
［実施形態１２］
前記タレットプーリ、前記第１および第２のトランジションプーリ、前記第１および第２のシャフトプーリ、ならびに、前記第１および第２のキャニスタプーリの各々が、前記モータが前記シャフト組立体を回転させるときに前記第１および第２のキャニスタ内で保持される材料に約６９１ｇの加速度を加えるように、個別の直径を有する、実施形態１０に記載の遠心混合デバイス。
［実施形態１３］
前記モータをさらに備える、実施形態１に記載の遠心混合デバイス。
［実施形態１４］
各キャニスタが少なくとも３つの実質的に球状の部材を備える、実施形態１に記載の遠心混合デバイス。
［実施形態１５］
前記少なくとも３つの部材がセラミックで作られる、実施形態１４に記載の遠心混合デバイス。
［実施形態１６］
前記シャフト組立体の回転により、（ｉ）前記タレットが前記第１の軸を中心として第１の回転速度で回転し、（ｉｉ）前記第１および第２のキャニスタの各々がそれぞれ前記第２および第３の軸を中心として第２の回転速度で回転する、実施形態１に記載の遠心混合デバイス。
［実施形態１７］
前記キャニスタの一方または両方が少なくとも２つの異なる粒子状物質を含む、実施形態１に記載の遠心混合デバイス。
［実施形態１８］
前記粒子状物質のうちの少なくとも１つの粒子状物質が活性薬剤成分を含む、実施形態１７に記載の遠心混合デバイス。
［実施形態１９］
前記粒子状物質のうちの少なくとも１つには、メチル（２Ｒ）−２−アミノ−３−（２−クロロ−４−ヒドロキシフェニル）プロパノエート、Ｄ−チロシンエチルエステル塩酸塩、メチル（２Ｒ）−２−アミノ−３−（２，６−ジクロロ−３，４−ジメトキシフェニル）プロパノエート、Ｈ−Ｄ−Ｔｙｒ（ＴＢＵ）−アリルエステルＨＣｌ、メチル（２Ｒ）−２−アミノ−３−（３−クロロ−４，５−ジメトキシフェニル）プロパノエート、メチル（２Ｒ）−２−アミノ−３−（２−クロロ−３−ヒドロキシ−４−メトキシフェニル）プロパノエート、メチル（２Ｒ）−２−アミノ−３−（４−［（２−クロロ−６−フルオロフェニル）メトキシ］フェニル）プロパノエート、メチル（２Ｒ）−２−アミノ−３−（２−クロロ−３，４−ジメトキシフェニル）プロパノエート、メチル（２Ｒ）−２−アミノ−３−（３−クロロ−５−フルオロ−４−ヒドロキシフェニル）プロパノエート、ジエチル２−（アセチルアミノ）−２−（４−［（２−クロロ−６−フルオロベンジル）オキシ］マロン酸ベンジル、メチル（２Ｒ）−２−アミノ−３−（３−クロロ−４−メトキシフェニル）プロパノエート、メチル（２Ｒ）−２−アミノ−３−（３−クロロ−４−ヒドロキシ−５−メトキシフェニル）プロパノエート、メチル（２Ｒ）−２−アミノ−３−（２，６−ジクロロ−３−ヒドロキシ−４−メトキシフェニル）プロパノエート、メチル（２Ｒ）−２−アミノ−３−（３−クロロ−４−ヒドロキシフェニル）プロパノエート、Ｈ−ＤＬ−ｔｙｒ−ＯＭＥ  ＨＣｌ、Ｈ−３，５−ジヨード−ｔｙｒ−ＯＭＥ  ＨＣｌ、Ｈ−Ｄ−３，５−ジヨード−ｔｙｒ−ＯＭＥ  ＨＣｌ、Ｈ−Ｄ−ｔｙｒ−ＯＭＥ  ＨＣｌ、Ｄ−チロシンメチルエステル塩酸塩、Ｄ−チロシン−ｏｍｅ  ＨＣｌ、メチルＤ−チロシネート塩酸塩、Ｈ−Ｄ−ｔｙｒ−ＯＭｅ・ＨＣｌ、Ｄ−チロシンメチルエステルＨＣｌ、Ｈ−Ｄ−Ｔｙｒ−ＯＭｅ−ＨＣｌ、（２Ｒ）−２−アミノ−３−（４−ヒドロキシフェニル）プロピオン酸、（２Ｒ）−２−アミノ−３−（４−ヒドロキシフェニル）メチルエステル塩酸塩、メチル（２Ｒ）−２−アミノ−３−（４−ヒドロキシフェニル）プロパノエート塩酸塩、メチル（２Ｒ）−２−アザニル−３−（４−ヒドロキシフェニル）プロパノエート塩酸塩、３−クロロ−Ｌ−チロシン、３−ニトロ−Ｌ−チロシン、３−ニトロ−Ｌ−チロシンエチルエステル塩酸塩、ＤＬ−ｍ−チロシン、ＤＬ−ｏ−チロシン、Ｂｏｃ−Ｔｙｒ（３，５−Ｉ２）−ＯＳｕ、Ｆｍｏｃ−ｔｙｒ（３−ＮＯ２）−ＯＨ、α−メチル−Ｌ−チロシン、α−メチル−Ｄ−チロシン、または、α−メチル−ＤＬ−チロシンが含まれる、実施形態１８に記載の遠心混合デバイス。
［実施形態２０］
前記粒子状物質のうちの少なくとも１つの粒子状物質がα−メチル−ＤＬ−チロシンを含む、実施形態１８に記載の遠心混合デバイス。
［実施形態２１］
前記粒子状物質のうちの少なくとも１つの粒子状物質が、メラニン、メラニンプロモーター、または、それらの組み合わせを含む、実施形態１９に記載の遠心混合デバイス。
［実施形態２２］
前記粒子状物質のうちの少なくとも１つの粒子状物質がメラニンを含む、実施形態２１に記載の遠心混合デバイス。
［実施形態２３］
前記メラニンプロモーターが、メトキサレン、メラノタンＩＩ、または、それらの組み合わせである、実施形態２２に記載の遠心混合デバイス。
［実施形態２４］
前記粒子状物質のうちの少なくとも１つには、タモキシフェン、トレミフェン、フルベストラント、アナストロゾール、エキセメスタン、レトロゾール、メシル酸イマチニブ、ダサチニブ、ニロチニブ、ボスチニブ、ラパチニブ、ゲフィチニブ、エルロチニブ、テムシロリムス、エベロリムス、バンデタニブ、ベムラフェニブ、クリゾチニブ、ボリノスタット、ロミデプシン、ベキサロテン、アリトレチノイン、トレチノイン、ボルテゾミブ、カーフィルゾミブ、プララトレキサート、ソラフェニブ、スニチニブ、パゾパニブ、レゴラフェニブ、カボザンチニブ、デニロイキン・ディフティトックス、ジブ−アフリベルセプト、シスプラチン、シスプラチナム、（シス−ジアミンジクロロ白金（ＩＩ））、カルボプラチン、オキサリプラチン、ベンジルイソチオシアナート、アセチルコリン、または、ジヒドロテストステロン（ＤＨＴ）が含まれる、実施形態２０に記載の遠心混合デバイス。
［実施形態２５］
前記キャニスタの一方または両方が、２つ以上の活性薬剤成分を個々に含むパーティクルを有する粒子状物質を含む、実施形態１に記載の遠心混合デバイス。
［実施形態２６］
遠心混合デバイスであって、
シャフト組立体であって、
モータが第１の軸を中心として前記シャフト組立体を回転させるようにするために前記モータに動作可能に結合されるように構成される、第１の軸に沿って細長であるシャフトボディ、および
前記シャフトボディに対して強固に固定される第１のシャフトプーリ
を有するシャフト組立体と、
前記シャフトボディに回転可能に結合されるタレットであって、
第１のキャニスタプーリを有しかつ第２の軸を中心として回転可能である第１のキャニスタ、および、
第２のキャニスタプーリを有しかつ第３の軸を中心として回転可能である第２のキャニスタ
を有する、タレットと
前記第１のシャフトプーリと、前記第１のキャニスタプーリと、前記第２のキャニスタプーリとに接続される第１の駆動ベルトであって、その結果、前記モータにより前記シャフト組立体が回転することにより、前記第１および第２のキャニスタがそれぞれ前記第２の軸および第３の軸を中心として回転するようになる、第１の駆動ベルトと
を備え、
前記第１のシャフトプーリ、前記第１のキャニスタプーリおよび前記第２のキャニスタプーリの各々が、前記モータにより前記第１の軸を中心として前記シャフト組立体を回転させるときに前記第１および第２のキャニスタ内で保持される材料に対して少なくとも６００ｇの加速度を加えるように、サイズ決定される、
遠心混合デバイス。
［実施形態２７］
前記モータによる前記シャフト組立体の回転により、（ｉ）前記タレットが前記第１の軸を中心として第１の回転方向に回転し、（ｉｉ）前記第１および第２のキャニスタの各々が、それぞれ前記第２の軸および第３の軸を中心として、前記第１の回転方向の反対の第２の回転方向に回転する、実施形態２６に記載の遠心混合デバイス。
［実施形態２８］
前記第１のシャフトプーリが前記第１のキャニスタプーリと前記第２のキャニスタプーリとの間で前記シャフトボディに対して固定される、実施形態２６に記載の遠心混合デバイス。
［実施形態２９］
前記タレットが第１の支持体および第２の支持体をさらに含み、前記第１のキャニスタが前記シャフト組立体の第１の側において前記第１および第２の支持体に回転可能に結合され、前記第２のキャニスタが前記シャフト組立体の第２の側において前記第１および第２の支持体に回転可能に結合される、実施形態２６に記載の遠心混合デバイス。
［実施形態３０］
（ｉ）前記第１のキャニスタが、前記第１の支持体に回転可能に結合される第１のキャニスタシャフトを含み、（ｉｉ）前記第２のキャニスタが、前記第１の支持体に回転可能に結合される第２のキャニスタシャフトを含み、（ｉｉｉ）前記第１のキャニスタプーリが前記第１のキャニスタシャフトに対して強固に固定され、前記第２のキャニスタプーリが前記第２のキャニスタシャフトに対して強固に固定される、実施形態２９に記載の遠心混合デバイス。
［実施形態３１］
各キャニスタが少なくとも３つの実質的に球状の部材を備える、実施形態３０に記載の遠心混合デバイス。
［実施形態３２］
前記シャフト組立体が前記シャフトボディに対して強固に固定される第２のシャフトプーリをさらに含み、前記タレットが前記第２のシャフトプーリに接続されるタレットプーリをさらに含み、その結果、前記シャフト組立体の回転により前記タレットが前記第１の軸を中心として回転するようになる、実施形態２９に記載の遠心混合デバイス。
［実施形態３３］
前記シャフト組立体の回転運動を前記タレットに伝達するように構成されるトランジション部材をさらに備える、実施形態３２に記載の遠心混合デバイス。
［実施形態３４］
前記トランジション部材が第１のトランジションプーリおよび第２のトランジションプーリを含み、前記デバイスが、前記第２のシャフトプーリと、前記第１のトランジションプーリとに接続される第２の駆動ベルトをさらに備え、その結果、前記モータが前記第２のシャフトプーリを前記第１の軸を中心として回転させるときに、前記第２の駆動ベルトが前記トランジション部材を駆動し、それにより前記第１および第２のトランジションプーリが第４の軸を中心として回転するようになる、実施形態３３に記載の遠心混合デバイス。
［実施形態３５］
前記第２のトランジションプーリと、前記タレットプーリとに接続される第３の駆動ベルトをさらに備え、その結果、前記モータが前記第１および第２のトランジションプーリを前記第４の軸を中心として回転させるときに、前記第３の駆動ベルトが前記タレットプーリを駆動し、それにより、前記タレットが前記第１の軸を中心として回転するようになる、実施形態３４に記載の遠心混合デバイス。
［実施形態３６］
前記タレットプーリ、前記第１および第２のトランジションプーリ、前記第１および第２のシャフトプーリ、ならびに、前・BR>L第１および第２のキャニスタプーリの各々が、前記モータが前記シャフト組立体を回転させるときに前記第１および第２のキャニスタ内で保持される材料に約６９１ｇの加速度を加えるように、サイズ決定される、実施形態３４に記載の遠心混合デバイス。
［実施形態３７］
前記モータをさらに備える、実施形態２６に記載の遠心混合デバイス。
［実施形態３８］
シャフト組立体および前記シャフト組立体に結合されるタレットを有する遠心混合デバイスを提供するステップであって、前記タレットが、前記シャフト組立体によって画定される第１の軸を中心として回転可能である支持体と、第２の軸を中心として第１のキャニスタが回転するように前記支持体に回転可能に結合される第１のキャニスタとを有する、ステップと、
少なくとも３つの実質的に球状の部材と、第１の粒子状物質と、少なくとも第２の粒子状物質とを前記第１のキャニスタ内に配置するステップと、
前記タレットを前記第１の軸を中心として第１の方向に第１の回転速度で回転させるステップと、
前記第１のキャニスタを前記第２の軸を中心として前記第１の方向と反対の第２の方向に第２の回転速度で回転させるステップと、
前記タレットが前記第１の回転速度で回転しかつ前記第１のキャニスタが前記第２の回転速度で回転するときに内側の表面に対して実質的に一定の力を加えるようにするために各部材を前記第１のキャニスタ内の内側表面に接触させるステップと、
前記第１および第２の粒子のうちの少なくとも一方の粒子を他の粒子によって含浸されるようにするために前記第１および第２の粒子を前記部材と内側表面との間で移動させるステップと
を含む方法。
［実施形態３９］
前記タレットおよび前記第１のキャニスタの前記回転がその中身に少なくとも６００ｇの加速度を加える、実施形態３８に記載の方法。
［実施形態４０］
前記タレットおよび前記第１のキャニスタの前記回転がその中身に約６９１ｇの加速度を加える、実施形態３８に記載の方法。
［実施形態４１］
前記第１の回転ステップが、前記タレットを前記第１の軸を中心として約１００ｒｐｍから約１７５０ｒｐｍの間の第１の回転速度で回転させるステップを含み、前記第２の回転ステップが、前記第１のキャニスタを前記第２の軸を中心として約１４０ｒｐｍから約２５５０ｒｐｍの間の第２の回転速度で回転させるステップを含む、実施形態３８に記載の方法。
［実施形態４２］
前記第１の回転ステップが、前記タレットを前記第１の軸を中心として約１７５０ｒｐｍの第１の回転速度で回転させるステップを含み、前記第２の回転ステップが、前記第１のキャニスタを前記第２の軸を中心として約２５００ｒｐｍの第２の回転速度で回転させるステップを含む、実施形態３８に記載の方法。
［実施形態４３］
前記タレットが前記支持体に回転可能に結合される第２のキャニスタをさらに含み、その結果、前記第２のキャニスタが第３の軸を中心として回転し、前記方法が、
少なくとも３つの実質的に球状の部材と、第１の粒子状物質と、少なくとも第２の粒子状物質とを前記第２のキャニスタ内に配置するステップと、
前記第２のキャニスタを前記第３の軸を中心として前記第２の方向に第３の回転速度で回転させるステップと、
前記タレットが前記第１の回転速度で回転しかつ前記第２のキャニスタが前記第３の回転速度で回転するときに前記内側の表面に対して実質的に一定の力を加えるようにするために各部材を前記第２のキャニスタ内の内側表面に接触させるステップと、
前記第２のキャニスタによって保持される前記第１および第２の粒子のうちの少なくとも一方の粒子を他の粒子によって含浸されるようにするために前記第１および第２の粒子を前記部材と内側表面との間で移動させるステップと
をさらに含む、
実施形態３８に記載の方法。
［実施形態４４］
前記第１および第２のキャニスタをそれぞれ前記第２および第３の軸を中心として回転させるために第１の駆動ベルトを用いて前記第１および第２のキャニスタを駆動するステップをさらに含む、実施形態４３に記載の方法。
［実施形態４５］
前記接触させるステップが、前記内側表面の底部から前記内側表面の頂部まで延在する部材のカラムを形成するように各部材を前記内側の表面に接触させるステップを含む、実施形態３８に記載の方法。
［実施形態４６］
前記粒子状物質のうちの少なくとも１つの粒子状物質が活性薬剤成分を含む、実施形態３８に記載の方法。
［実施形態４７］
プロセスによって調製される組成であって、前記プロセスが、
シャフト組立体および前記シャフト組立体に結合されるタレットを有する遠心混合デバイスを提供するステップであって、前記タレットが、前記シャフト組立体によって画定される第１の軸を中心として回転可能である支持体と、第２の軸を中心として第１のキャニスタを回転させるように前記支持体に回転可能に結合される第１のキャニスタとを有する、ステップと、
少なくとも３つの実質的に球状の部材と、第１の粒子状物質と、少なくとも第２の粒子状物質とを前記第１のキャニスタ内に配置するステップと、
前記タレットを前記第１の軸を中心として第１の方向に第１の回転速度で回転させるステップと、
前記第１のキャニスタを前記第２の軸を中心として前記第１の方向と反対の第２の方向に第２の回転速度で回転させるステップと、
前記タレットが前記第１の回転速度で回転しかつ前記第１のキャニスタが前記第２の回転速度で回転するときに前記内側の表面に対して実質的に一定の力を加えるようにするために各部材を前記第１のキャニスタ内の内側表面に接触させるステップと、
前記第１および第２の粒子のうちの少なくとも一方の粒子を他の粒子によって含浸されるようにするために前記第１および第２の粒子を前記部材と内側表面との間で移動させるステップと
を含む、組成。
[0009]上記の概要さらには以下の詳細な記述は、説明のために例示の実施形態を示す添付図面と併せて読むことにより、より良く理解される。しかし、本用途が、示される正確な構成およびシステムのみに限定されないことを理解されたい。